(57)【特許請求の範囲】
【請求項１】
ボーリング孔の周りの地下地層のコアを採取するシステムであって、
コア採取されるべき地層の近くで前記ボーリング孔内に位置決め可能なツール本体を有し、前記ツール本体は、モータを含み、
前記モータに連結された回転駆動ヘッドを有し、
一端が前記回転駆動ヘッドに連結され、他端がドリルビットを支持した回転ツールを有し、
前記ボーリング孔内に固定可能に動作可能なアンカーと、前記ツール本体及び前記回転ツールを前進させる軸方向駆動装置を含む駆動機構体とを有し、
前記回転ツールを前記ボーリング孔から前記周囲地層中に側方に押し込むガイドを有し、
前記回転ツールは、環状ドリルビットを運ぶ管状コア採取ツールであり、
前記回転駆動ヘッドは、前記コア採取ツールの軸線が前記ツール本体の軸線から逸脱することができるようにするよう動作可能であり、
前記回転駆動ヘッドは、前記コア採取ツールの軸線の前記逸脱を変化させることができる調節可能な連結部を含む、システム。
【請求項２】
前記コア採取ツールは、前記逸脱した軸線を所定の方向に差し向ける手段を含む、請求項１記載のシステム。
【請求項３】
前記回転駆動ヘッドは、前記コア採取ツールに連結された雌型コネクタと、前記回転駆動ヘッドから遠ざかって前記ツール本体内に延びる中空シャフトとを有する、請求項１又は２に記載のシステム。
【請求項４】
前記モータは、前記回転駆動ヘッドを駆動するよう前記中空シャフトの外面に連結されている、請求項３記載のシステム。
【請求項５】
前記中空シャフトの角度位置を検出する角度位置センサを更に有する、請求項３又は４記載のシステム。
【請求項６】
前記角度位置センサは、前記中空シャフトの回転速度を導き出す、請求項５記載のシステム。
【請求項７】
前記アンカーは、少なくとも１組の半径方向に延びるパッドを有し、前記パッドは、前記ツール本体を前記ボーリング孔内に固定するよう作動されると前記ボーリング孔壁に係合する、請求項１〜６のうちいずれか一に記載のシステム。
【請求項８】
前記軸方向駆動装置は、作動時に前記パッドにより提供される固定力に抗して作用するよう働く、請求項７記載のシステム。
【請求項９】
前記駆動機構体は、油圧システムと、前記パッドと、作動油が提供されるシリンダ内に位置するピストンを備えた前記軸方向駆動装置とを有する、請求項８記載のシステム。
【請求項１０】
前記駆動機構体は、前記ツール本体が前記ボーリング孔に沿っていずれかの方向に動くことができるよう交互に作動可能な少なくとも２組のパッドを有する、請求項７、８又は９記載のシステム。
【請求項１１】
前記コア採取ツールは、前記環状ドリルビットを支持していて、前記回転駆動ヘッドに連結された外側回転管と、前記コア採取ツールによって前記地層から穿孔採取されたコアを支持する内側コアバレルとを有する、請求項１〜１０のうちいずれか一に記載のシステム。
【請求項１２】
前記内側コアバレルは、前記外側回転管と共に回転することはない、請求項１１記載のシステム。
【請求項１３】
前記内側コアバレルは、前記回転駆動ヘッドを貫通して延びるシャフトに連結されている、請求項１１又は１２記載のシステム。
【請求項１４】
前記シャフトを包囲した配向基準カラーを更に有し、前記カラー及び前記シャフトは、相対回転を阻止する相互係合成形部を備えている、請求項１３記載のシステム。
【請求項１５】
前記相互係合成形部は、前記カラーが前記シャフトに対して摺動することができるようにするキーと溝を含む、請求項１４記載のシステム。
【請求項１６】
前記カラーは、前記カラーが前記ツール本体に対して回転しないよう保持される第１の位置と、前記カラーが前記外側回転管に対して回転しないよう保持される第２の位置との間で動くことができ、前記第１の位置では、前記カラー及び前記シャフトは、前記外側回転管に対して前記ツール本体と共に回転することができ、前記第２の位置では、前記カラー及び前記シャフトは、前記ツール本体に対して前記外側回転管と共に回転することができるようになっている、請求項１４又は１５記載のシステム。
【請求項１７】
前記カラーを前記第１の位置と前記第２の位置との間で動かすよう動作可能な電磁石を更に有する、請求項１６記載のシステム。
【請求項１８】
前記カラーは、傾斜面を有し、対応の傾斜接触面が前記ツール本体に設けられており、前記カラーが前記第１の位置にあるとき、前記傾斜面相互の接触効果により、前記シャフトは、前記ツール本体に対して所定の角度位置に差し向けられる用になっている、請求項１６又は１７記載のシステム。
【発明の詳細な説明】
【技術分野】
【０００１】
本発明は、あらかじめ掘削した坑井の側部からの地層コアの取り出しに関する。特に、本発明は、このプロセスを実施する一体形コア採取装置及び得られたコアのダウンホール分析に関する。
【背景技術】
【０００２】
地層コア採取は、貯留層又は他の岩石層の垂直区分の詳細な研究及び分析にとって必要である。コアをできるだけ無傷のままで回収するため、コアは、環状コアビットによって岩石から切断される。岩石の中央柱は、コア採取ビットの中心を通り、ビットが深く掘削すると、コア採取ビットの上方に位置する中空円筒形コアバレルによって受け入れられ、この中空円筒形コアバレル内において、岩石中央柱は、一連のゴムバッフルによって保護される。ビットがコアバレルを満たすのに十分深く掘削を行なうと、コアバレルは、穴から引き出され、そしてコアは、研究のために取り出される。これを行なうことにより、岩石層の実際の順序を容易に識別することができる。
【０００３】
コアサンプルは、可能な限り最大レベルまで損傷されない物理的に変わらない状態で採取される。地層材料は、堅い岩石、脆い岩石、れき岩、非圧密状態の砂、石炭シェール、ガンボ又は粘土である場合がある。
【０００４】
今日用いられている典型的なコア採取ツールは、国際公開第２００７／０２７６８３号パンフレットに見られる。このコア採取ツールでは、比較的小さなコアサンプルしか得ることができず、又、１つのコアしか収集することができず、その後において、ツールを分析のために地表まで回収しなければならない。
【０００５】
コア採取ツールの他の例は、米国特許出願公開第２００７／０２１５３４９号明細書、米国特許第４，７１４，１１９号明細書及び同第５，６６７，０２５号明細書に見受けられる。
【先行技術文献】
【特許文献】
【０００６】
【特許文献１】国際公開第２００７／０２７６８３号パンフレット
【特許文献２】米国特許出願公開第２００７／０２１５３４９号明細書
【特許文献３】米国特許第４，７１４，１１９号明細書
【特許文献４】米国特許第５，６６７，０２５号明細書
【発明の概要】
【０００７】
本発明は、ボーリング孔の周りの地下地層のコアを採取するシステムであって、
コア採取されるべき地層の近くでボーリング孔内に位置決め可能なツール本体を有し、ツール本体は、モータを含み、
モータに連結された回転駆動ヘッドを有し、
一端が回転駆動ヘッドに連結され、他端がドリルビットを支持した回転ツールを有し、
ボーリング孔内に固定可能に動作可能なアンカーと、ツール本体及び回転ツールを前進させる軸方向駆動装置を含む駆動機構体とを有し、
回転ツールをボーリング孔から周囲地層中に側方に押し込むガイドを有し、
回転ツールは、環状ドリルビットを運ぶ管状コア採取ツールであることを特徴とするシステムを提供する。
【０００８】
回転駆動ヘッドは、好ましくは、コア採取ツールの軸線がツール本体の軸線から逸脱することができるようにするよう動作可能であり、回転駆動ヘッドは、コア採取ツールの軸線の逸脱を変化させることができる調節可能な連結部を含むのが良い。
【０００９】
コア採取ツールは、逸脱した軸線を所定の方向に差し向ける手段を更に含むのが良い。
【００１０】
一実施形態では、回転駆動ヘッドは、コア採取ツールに連結された雌型コネクタと、回転駆動ヘッドから遠ざかってツール本体内に延びる中空シャフトとを有する。この場合、モータは、回転駆動ヘッドを駆動するよう中空シャフトの外面に連結されるのが良い。コア採取システムは、中空シャフトの角度位置を検出する角度位置センサを更に有するのが良く、角度位置センサは、好ましくは、中空シャフトの回転速度を導き出す。
【００１１】
アンカーは、代表的には、少なくとも１組の半径方向に延びるパッドを有し、パッドは、ツール本体をボーリング孔内に固定するよう作動されるとボーリング孔壁に係合する。軸方向駆動装置は、作動時にパッドにより提供される固定力に抗して作用するよう働くのが良い。一実施例では、駆動機構体は、油圧システムと、パッドと、作動油が提供されるシリンダ内に位置するピストンを備えた軸方向駆動装置とを有する。この駆動機構体は、代表的には、ツール本体がボーリング孔に沿っていずれかの方向に動くことができるよう交互に作動可能な少なくとも２組のパッドを有する。
【００１２】
コア採取ツールは、環状ドリルビットを支持していて、回転駆動ヘッドに連結された外側回転管と、コア採取ツールによって地層から穿孔採取されたコアを支持する内側コアバレルとを有することが特に好ましい。内側コアバレルは、通常、外側回転管と共に回転することはなく、内側コアバレルは、回転駆動ヘッドを貫通して延びるシャフトに連結されるのが良い。
【００１３】
シャフトを包囲した配向基準カラーが設けられるのが良く、カラー及びシャフトは、相対回転を阻止する相互係合成形部を備えている。相互係合成形部は、カラーがシャフトに対して摺動することができるようにするキーと溝を含むのが良い。カラーは、好ましくは、カラーがツール本体に対して回転しないよう保持される第１の位置と、カラーが外側回転管に対して回転しないよう保持される第２の位置との間で動くことができ、第１の位置では、カラー及びシャフトは、外側回転管に対してツール本体と共に回転することができ、第２の位置では、カラー及びシャフトは、ツール本体に対して外側回転管と共に回転することができるようになっている。カラーを第１の位置と第２の位置との間で動かすよう動作可能な電磁石が設けられるのが良い。一実施形態では、カラーは、傾斜面を有し、対応の傾斜接触面がツール本体に設けられており、カラーが第１の位置にあるとき、傾斜面相互の接触効果により、シャフトは、ツール本体に対して所定の角度位置に差し向けられる用になっている。
【００１４】
カラー及び外側回転管は、相対回転を阻止する相互係合成形部（例えば、歯と凹部）を更に備えるのが良い。
【００１５】
好ましくは、外側回転管に取り付けられているドリルビットの近くで内側コアバレルの端部のところに挟持システムが設けられるのが良く、挟持システムは、穿孔形成コアを挟んで地層から取り出すために内側コアバレルに制御された運動を与えるよう動作可能である。一実施形態では、挟持システムは、コアバレルの端部に設けられた１つ又は２つ以上の軸方向切れ目と、外側回転管の内面及び内側コアバレルの外面に設けられた相互係合勾配付き面とを有し、勾配付き面の相互係合は、外側回転管と内側コアバレルの相対軸方向運動によって行なわれ、切れ目は、内側コアバレルの端部の直径を減少させることができる。
【００１６】
ツール本体は、坑井流体をドリルビットの周りに圧送するポンプを更に有するのが良い。設計によっては、コア採取ツールが環状ドリルビットを支持した外側回転管と、地層から穿孔形成されたコアを支持する内側コアバレルとを有する場合、ポンプは、流体を回転管の外部に沿ってこれを下ってドリルビットに圧送して外側回転管と内側コアバレルとの間の環状空間を上方に通って戻すよう動作する。ドリルビットから戻った掘屑を処理する掘屑処理装置がポンプの出口の近くに配置されるのが良い。
【００１７】
ガイドは、代表的には、ボーリング孔の軸線に対して傾けられた案内面及びガイドを定位置にロックするよう動作可能なガイドアンカーとを有する。案内面は、ボーリング孔軸線に対して３°〜２０°、代表的には約６°の角度をなして傾けられるのが良い。
【００１８】
アンカーは、ガイドを定位置にロックするようボーリング孔壁に押し付け可能な少なくとも１つのパッドを有するのが良い。パッドは又、ガイドを定位置にロックするようガイドをボーリング孔壁に押し付けるよう作用するのが良い。一実施形態では、アンカーは、ツール本体内に設けられていて、ホースによってガイドに連結されたポンプ及びリザーバを含む油圧システムによって作動される。別の実施形態では、アンカーは、ナットの回転により作動され、ナットの回転により、ウェッジが動き、ウェッジは、パッドをガイドに対して半径方向に動かすようパッドに作用する。ナットは、コア採取ツールによって回転するのが良く、コア採取ツールの回転によりナットを回転させることができるようナットに設けられた成形部と対応関係をなして嵌合することができる成形部がコア採取ツールに設けられている。
【００１９】
ガイドは、入れ子式アタッチメント又はツール本体に設けられたラッチ内に摺動可能に設けられたバーによってツール本体に連結されるのが良く、ラッチは、ガイドをツール本体から所定の距離を置いたところに保持するようバーをツール本体にロックするよう動作可能である。
【００２０】
ツール本体からのガイドの離隔距離を測定するための位置センサ、例えば入れ子式アタッチメント又は摺動バーに設けられたマークの位置を検出するセンサを設けるのが良い。
【００２１】
コア採取システムは、好ましくは、案内面を所定の方向に差し向ける配向システムを更に有する。配向システムは、案内面が所定の方向に向くようツール本体を回すよう作用するのが良い。
【００２２】
ツール本体の位置及び配向状態を判定するナビゲーションシステムを更に設けるのが良く、ナビゲーションシステムは、地球の磁界に対する位置を判定する磁力計及び／又は地球の重力場に対する位置を判定する傾斜計を有する。コア採取システムは、ガイドの位置とナビゲーションシステムの位置との間のオフセットを求める手段を更に有するのが良い。
【００２３】
配向システムがガイドに設けられていて、コア採取ツールを挿通状態で突き出させるカラーを有する場合、コア採取ツールは、コア採取ツールの回転作用によりガイドが所定の方向に回るようにするようカラーに設けられた成形部と対応関係をなして係合することができる成形部を備えるのが良い。
【００２４】
地層から得られたコアの底部を保護するようコア採取ツール中に導入可能な１つ又は２つ以上のコアプロテクタが更に設けられるのが良い。多数のコアが単一のコア採取ツール内に得られる場合、コアプロテクタは、別々のコアの各々相互間に位置決めされるのが良い。好ましい形態としてのプロテクタは、コア採取ツール内への導入を容易にする面取り端部領域と、プロテクタをコア採取ツールの中央に保持するセントラライザと、コア採取ツールの内面に接触する少なくとも１つのシールとを有する。一実施形態では、プロテクタ及びコア採取ツールは、プロテクタをコア採取ツール内の定位置にしっかりと保持することができるよう相互係合成形部（例えば、半径方向に伸長可能なキャッチと溝、キャッチは、溝の中に突き出ることができる）を更に有する。
【００２５】
圧力制御システムがコア採取ツールの内部に連結されるのが良く、この圧力制御システムは、コア採取ツールの周りの周囲圧力とは無関係にコア採取ツール内の圧力を所定レベルに維持するよう作動可能である。
【００２６】
好ましくは、ガイドは、コア採取ツール内に導入されるべきプロテクタのための貯蔵容器を更に有する。この場合、ガイドは、動作可能なトラップを有するのが良く、コア採取ツールは、トラップを開いてプロテクタをコア採取ツールに利用できるようにしたりトラップを閉じてコア採取ツールが地層に入ることができるようにするトラップの作動機構体に係合可能である。
【００２７】
伝動シャフトを用いて回転駆動ヘッドをコア採取ツールに連結するのが良い。伝動シャフトは、コア採取ツールと比較して可撓性であるのが良く、伝動シャフトは、代表的には、コア採取ツールと実質的に同一の長さを有する。１つ又は２つ以上のスタビライザを伝動シャフトに取り付けるのが良い。ガイドは、代表的には、コア採取ツールと実質的に同一長さを持つ接触面を有する。
【００２８】
別の実施形態では、コア採取ツールは、交互に位置する剛性区分と可撓性区分を有する。この場合、可撓性区分は、通常永続的に曲げられるのが良い。
【００２９】
コア採取中、穿孔プロセスの機械的パラメータ（例えば、ビットに加わる重量、トルク及び／又は貫通速度）を測定するセンサが設けられるのが良い。
【００３０】
コア採取プロセス中に得られた穿孔掘屑のパラメータ、例えば超音波測定、密度測定及び／又は濾過測定法により求めることができる掘屑サイズを測定するセンサが更に設けられるのが良い。
【００３１】
コア採取ツールを用いて得られたコアのパラメータを測定する別のセンサが設けられるのが良い。センサは、代表的には、ガイド内に配置される。センサは、ガンマ線検出器を含むのが良く、ガンマ線源を更に有する。ガンマ線センサ及びガンマ線源は、使用にあたり、センサと源を結ぶ線がコアの中心を通らないようにコアの互いに反対側に位置決めされるのが良い。センサ及び源は、コアを回転させると作動するよう構成されるのが良い。第１のガンマ線センサ及び第２のガンマ線センサがガイド内に互いに異なる位置に配置されるのが良い。変形例として、コア採取システムは、コアをセンサ及び源が作動している間にコアを回転させる第２の位置に側方に動かすシステムを更に有するのが良い。測定されたコアパラメータは、断層撮影法で用いられるのが良い。
【００３２】
コア採取ツール内のコアの直径を測定するセンサ、例えば超音波機械的又は電気的センサが更に設けられるのが良い。
【００３３】
コア採取ツール内のコアの熱的特性を測定する他のセンサが設けられるのが良く、コア採取システムは、熱をコアに加えるヒータを更に有するのが良い。
【００３４】
別の実施形態では、コア採取システムは、コア採取ツールを用いてコアを地層から剪断するのに必要な力を検出するセンサを有する。コア採取ツールは、トルクをコアに加えることによりコアを剪断するのが良く、センサは、剪断力を求めるためにトルクを測定する。別のセンサを用いてコアを地層から離脱させるのに必要な引っ張り力最大値を検出するのが良い。この場合、コア採取システムは、コアを把持すると共にコアが地層から離脱するまで張力を加える手段を有するのが良い。
【００３５】
ドリルビットは、歯の同心リングを有するのが良い。
【００３６】
コア採取システムは、コアを得た穴に栓をする手段を更に有するのが良い。栓は、ボーリング孔の周りのケーシングに密着するよう配置されるのが良い。コア採取システムは、コアをコア採取ツールから突き出す手段を更に有するのが良い。
【００３７】
システムの作動に関連したデータを記憶するメモリ手段が更に設けられるのが良い。システムの作動から得られたデータをボーリング孔の表面まで伝える電気リンクが設けられるのが良い。本発明は、コア採取装置及びコア採取装置から得られたコアのダウンホール分析のための一体形ロッギング（物理検層）システムを有する一体形コア採取システムを提供する。
【００３８】
本発明のシステムは、幾つかの特徴及び幾つかの利点を有し、かかるシステムにより、種々の方法を以下の発明の概要から明らかなように実施することができる。
本発明のシステムは、単一の運搬方法を含む既存の坑井の横方向側部からの長いコアの取り出しを可能にする。コアは、主坑井の直径よりも長いのが良い。
ガイドを含む一体型コア採取システムは、コア採取ツールを坑井の壁の方へ逸らせる。坑井内におけるガイド設定及びコア採取は、一トリップで実施可能である。ガイドを設定するのが良く、次にコア採取プロセスを設定し、そしてガイドを設定解除する。これは、一トリップで繰り返し実施可能である。
【００３９】
ガイドのツール面は、ガイド設定前に選択されるのが良く、運搬は、チュービング、ドリルパイプ又はコイルチュービングによって行なわれるのが良く、ダウンホール伸長機構体は、コア採取中、変位をもたらすのが良い。
【００４０】
本発明は、ワイヤラインケーブルにより作動可能な一体型コア採取機械を提供し、この一体型コア採取機械は、主坑井から１°〜４５°の傾斜角をなしてコアを取り出すことができる。
【００４１】
クローリングシステムを用いてコア採取機械を坑井内で変位させるのが良く、クローリング機械は、コア採取のためにＷＯＢ（ビットに加わる重量）をもたらすことができる。クローラは、代表的には、２つ以上の組をなすパッドを有する。
【００４２】
ガイドは、コア採取機械によって支持される。例えば、ガイド支持体は、入れ子式である。ガイドは、コア採取機械の回転要素によって配向可能である。一実施例では、回転要素は、配向サブ（ｓｕｂ）である。変形例として、回転要素は、回転コア採取組立体及びヘッドである。コア採取ツールは、その底部にキーを備えるのが良く、このキーは、ガイドに設けられた対応の受け具内に嵌め込み可能である。ガイドは、半径方向油圧システムによって設定可能であり、この場合、油圧ホースが設定圧力をコア採取機械からガイドに伝達する。一実施形態では、ガイドは、クローラの固定パッドから一定の距離を置いたところに保たれるのが良い。また、ガイドとコア採取機械との間の距離を測定することができ又はガイドの深さを機械の深さから測定することができる。
【００４３】
コア採取ツールは、ダウンホールモータ、例えば電気モータによって回転する。
【００４４】
局所ダウンホール循環システムをコア採取機械によって提供することができ、局所ダウンホール循環は、可逆モードであることが好ましい。掘屑処理システムを循環ポンプの近くに設置するのが良く、例えば、掘屑クランチャ（cruncher）は、処理システムであるのが良い。処理システムは又、掘屑サイズ分析を実施することができる。
【００４５】
コア採取ツールの内部管は、好ましくは、コア採取機械によって正確な場所に保持されるが、コア採取ツールの内部で僅かに上方に移動可能であるのが良い。コアを要求に応じてその頂部のところで挟持するのが良い。コア採取ツールの内側管は、コア採取機械又はコア採取回転システムにロック可能である。
【００４６】
内側管のツール面には、好ましくは、コア採取機械へのロック時に一定方向が与えられる。また、内側管とコア採取機械との間のツール面オフセットをコア採取機械へのロック時に測定するのが良く、その結果、コア採取ツールの内側管のツール面の位置をコア採取中、知ることができるようになっている。
【００４７】
ガイドは、ボア及びボアか地層かのいずれかに向かってコア採取ツールを変位させる選択機構体を備えるのが良い。コア採取ツールにコア分離器によって蓋をすることができるよう分離要素をガイド内に収納するのが良い。セパレータは、好ましくは、シール及びラッチを備える。かくして、コア採取機械からコア採取ツールへの流体チャネルは、要求に応じて確実に隔離することができる。
【００４８】
一実施形態では、コア採取機械は、コアを圧力下で地表に運ぶことができる。
【００４９】
コア採取ツールは、好ましくは、コア採取中、ガイド表面に平行に保たれる。回転ヘッドの傾斜度を調節してガイド表面に対するコア採取ツールの適正な平行度を保証するのが良い。また、可撓性伝達シャフト（フレックスジョイント）をコア採取ツールと回転ヘッドとの間に配置するのが良い。フレックスジョイント型セントラライザを可撓性伝達シャフトに取り付けるのが良い。
【００５０】
一実施形態では、ツールは、一連の剛性及び可撓性区分で作られる。剛性区分は、代表的には、ガイド表面とほぼ同じ長さを有する。コア採取された穴が真っ直ぐである場合、コア採取ツールの剛性区分中のコアを妨害されないようにすることができる。
【００５１】
内側管の可撓性区分は、ベローで作られるのが良く、コア採取ツールは、一連の剛性及び曲げ区分で作られる。コア採取ツールの内側管は、一平面内に曲げ区分を備えるのが良く、これら曲げ区分は、曲げを外側管に与える。この場合、第１の剛性区分は、コア採取穴のためにビルドアップ（build-up）角度を与える。第１の区分は、代表的には、他の剛性区分の長さの半分未満である。小型ニアビットアンダーゲージ（near-bit under-gauge）型スタビライザを用いるのが良く、コア採取穴は、一定の曲率を有するのが良い。
【００５２】
コア採取ツールは、ひと続きの真っ直ぐなセグメントであるのが良く、コアは、曲げ部内に設けられたスペーサにより互いに分離された一連のモノブロック形非乱れ状態のコアで作られる。モノブロック形非乱れ状態のコアは、湾曲しているのが良い。
【００５３】
コア採取ツールは、コア採取機械の適正な機械的誘導により主坑井内おいて真っ直ぐに保たれるのが良い。
【００５４】
スペーサを非乱れ状態コア要素相互間に配置するのが良い。
【００５５】
コア採取機械は、コア採取穴の入口の付近でロッギングシステムを支持するのが良く、このロッギングシステムは、コアがこのロッギングシステムの前を通る際にコアをロッギングするようになっている。ロッギングシステムは、代表的には、コアの固有ガンマ線放出のロッギングを可能にする。遮蔽手段をガンマ線検出器の付近に設けてバックグラウンドノイズ測定を減少させるのが良い。遮蔽体は、典型的には、重金属で作られる。バックグラウンドノイズは、当初コアの存在しない状態で測定されるのが良く、したがって、このノイズを最終の測定から抑制することができる。一例では、コアのガンマ‐ガンマ密度測定は可能である。測定は、源及び検出器がコアの同一側に位置している場合、後方散乱効果によって実施される。測定が光線透過によって実施される場合、源及び検出器は、コアの互いに反対側に位置する。測定は、コア採取ツールを回転させている間に実施されるのが良い。ガンマ線源と受信器との間の直接的経路は、好ましくは、コアの中心を通過しない。ガンマ線に関する直接的経路は、コアを通る２つの別々のコードであるのが良い。
【００５６】
別の実施例では、コア直径を測定する。内側コアバレルの周囲は、変形可能であるのが良く、周長の変化をコア採取ツールの２本の管相互間の隙間の変化によって測定することができる。パルス化エコー型超音波変換器を用いると隙間の差を測定することができる。別の場合、外側管を内側管で変形させ、それによりこの外側管の変化により直接的な検出が可能になる。
【００５７】
本発明の一実施形態では、多数の短いコアを長いコア作製ツール内で採取することができる。また、コアバレル内に蓄えられたコア要素のうちの少なくとも何割かをこれらが地表で必要とされない場合コアバレルダウンホールから放出することができる。或る１つの場合、放出されたコアをコア採取穴内に配置するのが良い。
【００５８】
コアをコア採取穴から引っ込めている間及びコアが主ボーリング孔内に位置しているとき、例えば、コアをロッギングシステムの前に通すことによりコアをロッギングするのが良い。
【００５９】
また、コア採取歯が金属、セメント及び岩石を切断することができ、それによりケーシングの後ろでコア採取を可能にすることが好ましい。
【００６０】
本発明を構成する一体形プロセスでは、側壁を穿孔した後、側壁のコア採取穴を栓で塞ぐ（施栓する）。コア採取穴をコア採取穴内への専用栓の突き出しにより、膨潤可能な材料を含む栓により、機械的膨張システムを含む栓により或いは、固化可能又は硬化可能な流体を用いて施栓するのが良い。例えば、セメントスラリーを用いるとコア採取穴を部分的に又は全体的に埋めることができる。
【００６１】
特定の又は深い情報収集のために専用ロッギング手順を用いるのが良い。専用コア採取流体をコア採取プロセスの開始前に主坑井内に適当な間隔を置いて配置するのが良い。
【００６２】
ダウンホール電気機械システムを遠隔通信により地表から制御するのが良い。ロッギングシステムとコア採取機械との間の通信は、好ましくは、ケーブルにより実施される。ロッギングツールは又、ダウンホールメモリ内にデータを格納することができ、この場合、システムは、バッテリを用いて作動可能である。
【００６３】
コア採取機械は、好ましくは、コア採取トルク、軸方向力（ＷＯＢ）（両方の方向における）のダウンホール測定を可能にする。これらにより、岩石の機械的性質の判定が可能である。また、コア採取機械により、コアにトルク及び／又は軸方向力を加えることができると共に荷重（トルク／軸方向荷重）を測定することができる。
【００６４】
コア採取システムは又、岩石の機械的性質の直接的な測定値を得るために使用できるコアの変位（軸方向又は回転変位）の検出を可能にする。一実施例は、クーロン破損（Coulomb failure ）図を求めることである。
【００６５】
切断歯は、この判定を助けるために末端部のところの円筒形段部でコアを切断するよう構成されているのが良い。挟持機構体がコア先端部の小径部又は大径部を挟持するよう選択するために設定されるのが良い。これは、コア採取穴軸線に垂直な主圧縮応力を求めるために使用できる。測定は、同一地層中の互いに異なる方向に穿孔された多数のコア採取穴について実施されるのが良い。少なくとも６つの独立した測定値を取るのが良く、それにより岩石中の主応力の測定が可能である。コアバレル中のコアに対する軸方向荷重を用いて（オイラーの公式に基づく）小径コアに関するヤング率を座屈破壊によって求めることができる。軸方向荷重をコアに加えたときに２つの互いに反対側の半径方向接点相互間のコアの半径方向荷重に起因したコア破損についてポアソン比を得ることができる。
【００６６】
本発明のコア採取プロセスは、好ましくは、ダウンホール油圧モータ、例えばモイノ（Moyno）型モータによってコア採取ツールの回転に基づく。好ましくは、このモータ及びその伝動装置は、中空であり、この場合、全量弁としてフルボア（full-bore）をモータバイパス穴内に設けるのが良い。これにより、コアバレルからダウンホールモータの頂部までのフルボア（full-bore）チャネルの実現が可能である。またコアが掘削モータを貫通するのが良いこと及びチュービングを貫通したスリックラインによって釣り上げるのが良いことが好ましい。
【００６７】
本発明のシステムは、逸脱角が坑井の底部のところに生じた状態で作動可能である。コア採取穴のための逸脱角度をゼロに設定することができ、それにより小さ目のコアを主坑井の底部のところで又はフルホールサイズ（full hole size）で採取することができる。
【００６８】
本発明の別の観点は、以下の説明から明らかになろう。
【図面の簡単な説明】
【００６９】
【図１】本発明のコア採取装置の全体図である。
【図２】図１のコア採取装置の回転ヘッドを示す図である。
【図３】軸方向押し込みシステムを示す図である。
【図４】図４ａ、図４ｂは、コア採取ツールを示す図である。
【図５】流体循環システムを示す図である。
【図６】逸脱ガイドを備えたコア採取装置を示す図である。
【図７】図７ａ、図７ｂは、逸脱ガイドの軸方向位置制御を可能にする別の構成例を示す図である。
【図８】逸脱ガイドの正確な配向を可能にする配向サブを示す図である。
【図９】図９ａ、図９ｂは、ガイドツール面を配向させる別の設計例を示す図である。
【図１０ａ】コアバレル内におけるコアの角度基準付けを可能にする設計例を示す図である。
【図１０ｂ】コアバレル内におけるコアの角度基準付けを可能にする設計例を示す図である。
【図１１ａ】コア及びスペーサ／プロテクタを収容したコアバレルを示す図である。
【図１１ｂ】スペーサ／プロテクタブロックの細部を示す図である。
【図１２ａ】スペーサを保つための貯蔵穴を備えた改造型逸脱ガイドを示す図である。
【図１２ｂ】コア採取ツールがトラップドアを貯蔵穴に対して開くことができるようにするトラップキーリング構成例を示す図である。
【図１３】貯蔵穴に嵌まっているコア採取ツールを示す図である。
【図１４ａ】加圧コアを地表のところで取り出すことができる改造型コアバレルを示す図である。
【図１４ｂ】スペーサに代えて用いることができる栓（プラグ）を示す図である。
【図１５】作動中のコア採取装置を示す図である。
【図１６】回転ヘッド傾動の調節を回避する改造型装置を示す図である。
【図１７】剛性区分と可撓性区分の組み合わせを備えたコア採取ツールを示す図である。
【図１８ａ】曲げ区分内における外側管の全体的変形を示す図である。
【図１８ｂ】可撓性区分を備えたコア採取ツールの曲げ区分の形状を示す図である。
【図１９ａ】コア採取穴を湾曲坑跡中の主坑井から遠ざけて操向するために使用できるコア採取ツールを示す図である。
【図１９ｂ】図１９ａに示された状況における外側管の内部のあらかじめ曲げられた内側管の形状を示す図である。
【図２０】コアの直径及びコアバレル内における自然な曲げ状態を示す図である。
【図２１】可撓性区分がコアバレル内に用いられたときのコアバレル中へのスペーサの取り付け方を示す図である。
【図２２】図２２ａは、ダウンホール条件にある間にコアを分析するために用いられるダウンホールロッギングツールを示す図であり、図２２ｂは、図２２ａに示されたダウンホールロッギングツールの断面図である。
【図２３】図２３ａ、図２３ｂは、コアバレル内におけるコア直径を求める方法を示す図である。
【図２４】「スリックラインによるコア釣り上げ」を可能にするために用いられるコア採取装置を示す図である。
【図２５】岩石の破断基準を定めるクーロン破損基準を示すグラフ図である。
【図２６】コアが現場応力を受ける領域を示す図である。
【発明を実施するための形態】
【００７０】
図１は、本発明の一実施形態の全体図である。コア採取装置（以下、コア採取機械又はコア採取システムともいう）１は、コア採取ツール３を支持した下側回転ヘッド２を有している。コア採取装置は、軸方向力及び変位を発生させる手段を更に備えている。これは、好ましくは、コア採取ツールのクローリングシステム４によって実施される。コアバレルを逸脱ガイド５によって地層中に側方に押し込むことができる。このガイドは、支持機構体６を介してコア採取機械によって支持されている。第１の具体化例では、コア採取システムは、ワイヤラインケーブル７を介して坑井９内に配置されており、このケーブルは又、電力をコア採取ツールに供給すると共にツールと坑外ユニット８との間の遠隔測定を保証する。
【００７１】
図２は、回転ヘッドを詳細に示している。コア採取機械１の下側回転ヘッド２は、モータ１０及びオプションとしての歯車箱１１によって駆動される。回転ヘッドは、傾動システム１２により主コア採取ツール軸線に対して傾けられるのが良い。回転ヘッドは、傾斜掘削用途に用いられる舵取り又は操向モータの構成に類似した永続的な曲げサブ（sub）であっても良い。下側回転ヘッド及びコア採取ツールの軸線を含む平面の包囲は又、専用の機構体１３によって提供できる。この機構体は、曲げサブ（これは、軸線の傾斜を生じさせる）を配向させるのが良く、別の解決策は、あらゆる平面内で作動可能な傾動システムを用いることである。
【００７２】
内部トルク伝達システムは、回転ヘッドのこの可変傾斜と適合性を持つよう設計されている。回転ヘッドは、中空であり、雌ねじ１４で終端している。回転ヘッドの延長部として、中空シャフト１５が設けられている。駆動モータは、通常、この中空シャフトの外面１６への連結によって回転駆動装置となる。
【００７３】
シャフトの角度位置は、角度位置センサ１７によって測定される。この測定は、以下に説明する多くの利点を備えている。
【００７４】
図３は、軸方向押し込みシステム又は「クローラ」を示している。コア採取機械１のクローラ４は、少なくとも１組のパッド２０から成り、これらパッドは、半径方向伸長システム２１により坑井に半径方向に押し付け可能である。これらパッドは、坑井内におけるコア採取ツールのクランプを保証する。軸方向伸長機構体２２により、回転ヘッド、コアバレル及びコアを含むコア採取ツールの下側部分に対するプッシュプル効果の発揮が可能である。このプッシュプル効果は、坑井内におけるコア採取ツールの軸方向変位を生じさせる。作動油２３を含む油圧システムをかかる目的に使用することができる。伸長機構体が完全伸長状態に達すると、パッドを引っ込め、すると、システムの重量は、コアの周りの地層中に嵌まり込んでいるコア採取ツールかワイヤラインケーブルかこれら２つの組み合わせのいずれかで支持される。次に、伸長機構体を収縮させ、パッドを再び開いて坑井に押し付け、次に、新たな押し込み伸長の開始が可能である。このシステムは、コア採取中、所要の「ビットに加わる重量」を生じさせるように用いられる。
【００７５】
注目されるべきこととして、かかる典型的なシステムでは、掘削のための前方押し込み力は、クローリングシステムによって送り出され、上方運動は、ワイヤラインケーブルへの引っ張り力によって達成されるのが良い。しかしながら、クローリングシステムは、狭いコア採取穴からのコアの上方引き出しを助けることができる。
傾斜のきつい坑井（又は水平坑井）内における効率的な作業を行なうため、軸方向伸長機構体の下に第２の組をなすパッド２４を設けるのが良い。この場合、かかる構成では、このシステムは、重力に依存することなく前後に動くことができる。
【００７６】
２重の組をなすパッドは、ボーリング孔に対するパッドの固着を阻止する良好な予防方法でもある。１つの組をなすパッドが固着効果によりボーリング孔に固着されても、他の組をなすパッドを作動させると、ツールを坑井の中心に保つことができ、次に、固着状態のパッドを坑井の中心に向かって引っ張ることができる（又は、クローラによって軸方向力を更に加えることができる）。
【００７７】
コア採取ツールは、図４ａ及び図４ｂに示されている。コア採取ツール３は、主として、切断歯３１で終端した外側回転管３０から成る。この外側回転管は、上述したようにコア採取システムの下側回転ヘッドによって回転する。外側回転管は、代表的には、回転ヘッド２に連結されている連結システム３２で終端している。外側回転管内では、内側コアバレル３３は、コア採取ツールが地層４２の中に入るとコア４１を支持する。この内側バレルは通常、回転することがない。この内側静止コアバレルは、薄肉管で作られている。外側回転管と内側静止コアバレルとの間の隙間は、極めて小さい（代表的には、数ミリメートルの範囲にある）。
【００７８】
通常の設計では、この内側静止バレル３３により、コアは、コア採取ツール３内に上方に滑り込むことができる。代表的には、コアを内側静止管内に嵌め込んだままにするのに十分な摩擦が存在する。提案する解決策では、この内側静止管３３は、シャフト３４に連結され、このシャフトは、回転ヘッド２のボア及びその中空シャフト１５内に延びる。この伸長シャフトは、コア採取装置１内に設けられている制御機構体３５によって静止状態に保持可能である。この特徴により、内側コアバレル３３を静止位置に保持することができる。具体的に説明すると、内側コアバレルは、その外面に回転摩擦（例えば、コア採取ツールの僅かな曲げに起因する直接的な摩擦）力が生じた場合であっても、静止状態のままである。
【００７９】
設計によっては、この制御機構体は、或る程度の運動を内側コアバレルに与えてコアを地層から離脱させると共にこれをバレル内に保持することができる。これは、コア採取ツールの下端部のところに設けられたコア挟持システム３６により達成できる。制御された運動を内側コアバレルに与えることにより、コアは、コアバレルの先端部４３のところで地層から砕けて取れる。制御運動は、コアバレルに対する引っ張り効果であっても良く又はバレルを回転させることによって行なわれても良く、かかる制御運動は、コアを地層から剪断する。
【００８０】
コア挟持機構体の細部が図４ｂに示されている。内側コアバレルは、平均直径の幾分かの変形を可能にするよう少なくとも１つの軸方向切れ目３７を備えるのが良い。通常、この直径を減少させることができるに過ぎない。というのは、外側管に設けられているリング３８が半径方向成長を阻止するからである。内側コアバレル３３は、外側円錐面３９を備えるのが良く、この外側円錐面は、外側管４０の相補する円錐面に対応している。このコア挟持システムを用いると、坑井内におけるコアの噴出を阻止すると共にコアを地層から分離することができる。
【００８１】
一般的な情報として、コア採取ツールの直径は、１．５〜３インチ（３．８１〜７．６２ｃｍ）であることが予想される。コア採取ツールは、通常、３０フィート（９．１４ｍ）の多くの要素で作られている。その全長は、最大１５０フィート（４５．７２ｍ）に達する場合がある。
【００８２】
コア採取ツールは、可撓性区分により分離された通常のツール設計の区分で構成されるのが良い。かかるコア採取ツールの目的及び構成について以下に説明する。
【００８３】
図５は、コア採取装置内に設けられた流体循環システムを示している。コア採取機械１は、モータ４６によって駆動されるポンプ４５を有し、このモータは、通常、電気により動力供給される（ワイヤラインツール内に位置しているので）が、他形式のモータを用いても良い。このポンプは、モイノ（Moyno）型ポンプであるのが良いが、これには限定されない。このポンプは、坑井流体を主坑井からコア採取ツール歯の周りに循環させる。この流体循環により、コア採取ツールの前縁のところでのコア切断歯２１の冷却が保証される。また、流体循環により、掘屑４７が切断ゾーン４８から主坑井中に運ばれる。
【００８４】
従来型流体循環方式では、流体は静止内側管と外側回転管との間の狭い環状域４９内で切断面まで下方に圧送され、次に、流体は、地層とコア採取ツールの外側回転管との間の環状域５０を介して主坑井に戻る。しかしながら、用途によっては、上述の経路と比較して逆の循環方式を用いるのが有利である。これは、コア採取機械のポンプの回転を逆にすることによって達成できる。この場合、掘屑は、ポンプの吸い込み領域５１に達し、ポンプを通り、最終的に、ポンプの吐出チャンバ５２に達し、その後、坑井９中に排出される。
【００８５】
幾つかの用途の場合、掘屑処理システム５３を吸い込み領域５１か吐出チャンバ５２かのいずれかの中に設置するのが良い。
【００８６】
掘屑処理システムの以下のプロセスが提案される（しかしながら、限定的ではない）。
大きな掘屑が主坑井内に捨てられることがないような大きな掘屑の濾過。
掘削プロセスの特徴付け並びに岩石の性質の判定を可能にする掘屑のサイズの分析。これについては以下について説明する。
良好な掘屑輸送を保証する大きな掘屑の破砕並びに吸い込み領域５１内に設置された場合のポンプに対する損傷の減少。
【００８７】
図６は、逸脱ガイドを示している。逸脱ガイドは、典型的なホイップストックとしての役目を果たし、コア採取ツールを坑壁に向かって側方に押すのを保証する。逸脱ガイドは、傾斜面５５（坑井軸線に対して傾けられている）から成る。この角度は、３°〜２０°であるのが良く、好ましくは、６°の角度である。８．５インチ（２１．５９ｃｍ）の坑井では、傾斜／逸脱ガイドの幅は、６インチ（１５．２４ｃｍ）であるのが良い。
【００８８】
図６では、ガイドは、これをコア採取プロセス中、静止位置にロックすることができるようにする機構体５６を備えている。好ましい実施形態は、ガイドを坑井の一方の側に押すパッド５７を有する。好ましい解決策では、ガイドは、コア採取中の側部とは反対側の坑井の側に押し付けられる。かかる方法では、コア採取プロセス中に生じる横力は、壁との接触状態を強化する。これにより、摩擦が増大したときに軸方向滑り効果に抵抗する能力が増大する。
【００８９】
ガイドの半径方向パッドの設定／設定解除を行なう制御機構体は、油圧システムであるのが良い。油圧ホース６０がコア採取機械１及びガイドに連結されている。油がポンプ６１によってリザーバ６２からこのホース内に送り込まれ、リザーバは、容積補償システム、例えば密閉型摺動ピストン６７によって密封される。通常の静水圧がこの容積補償システムの外面に加えられ、その結果、油圧回路全体が静水圧よりも高い状態で働くようになる。この圧送油は、半径方向ピストン６３をガイド５内に押し込む。ばね６４が弁６５を開くと共にポンプ６１を作動停止させたときにピストン６３を引っ込める。ホースは、パッドの下にループ６６を作り、ループ長さは、ガイドをコア採取機械との間の距離が変わると変化する。
【００９０】
ガイドは、入れ子式システム６によりコア採取システムに連結されるのが良い。このシステムは、通常、伸長されていて、重力の効果か「ばね」効果５８かのいずれかによりそれ自体伸長状態のままであるようになっている。このシステムは、そのストロークに関して制限停止部５９を有している。入れ子式システムは、ガイドとコア採取システムとの間の永続的なリンクを保証すると同時に多数回のコア採取のために坑井内におけるガイドの多数回の設定を可能にする。
【００９１】
図７ａ及び図７ｂは、逸脱ガイドの軸方向位置制御を可能にする別の構成例を示している。この構成例は、入れ子式システムの改造に基づいている。このバージョンでは、ガイド５は、クローラの上方に延びる１組の連続バー又は管７０によって支持されている。これらバー７０は、ラッチ７１，７２によってコア採取機械にロック可能である。所与の時点では、一方のラッチのみが作用している。ラッチ止めと伸長機構体２２の使用の適正な協調により、コア採取ツールとガイドとの間の距離を増減することが可能である。具体的に説明すると、コア採取中、ラッチ７１は、伸長機構体２２がコア採取ツールを下方に押しているとき、ガイド及びパッド２０が動いていない結果として、ロックされる。伸長機構体が完全伸長状態に達すると、ラッチ７１，７２が逆にされ、パッド２０，２４が開かれる。次に、伸長機構体を畳むと、ガイドは、坑井内において静止状態のままであろう。この方法の特定の利点は、パッド２０に加わる荷重がガイドの軸方向荷重によって減少するということにある。
【００９２】
所与の深さでの逸脱ガイドの設定前に、ガイドを適正な方位（当業界において通常知られているようにツール面）に配向しなければならず、その結果、コアが所望の地層から採取されるようになる。図８は、これを行なうための好ましい設計例のうちの１つを示している。これは、上側の組をなすクローリングパッド２０の下に配置された配向サブ７５の使用によって達成できる。このサブは、システム１３によって配向が駆動され、このシステムは、モータ７６及びオプションとしての歯車システム７７から成る。代表的には、電線及び油圧ホースの束７８が、配向サブを貫通しているのが良く、したがって、このサブは、電線の捩じれを回避するよう１回の一フルターンが制限される場合がある。
【００９３】
上側パッドを坑井に圧接すると、配向サブの回転は、コア採取機械の下側部分に伝えられる。この回転は又、入れ子式システム６及びガイド７にも及ぼされる。
【００９４】
かかる構成では、ガイドの配向は、コア採取機械の「ナビゲーション」パッケージ７９によって直接定められ、したがって、このナビゲーションパッケージが配向サブの下に設置されることが好ましい。ナビゲーションパッケージは、３つの磁力計及び３つの傾斜計で構成されるのが良く、それにより、磁気パラメータか重力パラメータかのいずれかの判定が可能である。
【００９５】
幾つかの実施形態では、ナビゲーションパッケージは、配向サブの上方に位置するのが良く、この場合、例えば角度センサ８０により配向サブの角度のずれを測定することが重要である。
【００９６】
配向サブのこの使用を多くの形式のガイド及びガイドロックシステム（特に、上述の提案された設計例）と組み合わせるのが良い。
【００９７】
図９ａ及び図９ｂは、配向サブを必要としないガイドを配向する別の設計例を示している。この設計例では、コア採取ツール３それ自体は、ガイドのための回転機構体として用いられる。コア採取ツールの外側管３０は、切断歯３１のすぐ上に外側底面に設けられた外側キー８５を備えている。このキーは、逸脱ガイドの傾斜面５５に取り付けられたクラウン８６に設けられている相補する溝８７に嵌まり込むことができる。キーと溝の嵌合は、キー及び溝の末端部に大きな面取り部を用いることにより容易になる。
【００９８】
この嵌合は、入れ子式システムが完全に伸長された場合にのみ可能である。この位置では、コア採取ツールの先端部は、ガイド５の凹部８８内に位置する。コア採取ツールのキーがガイドクラウンの溝の中に嵌まり込むと、ガイドは、適正なツール面に達するまで回転ヘッドと共に回る。
【００９９】
図１０ａ及び図１０ｂは、コアを地層から剪断するために内側コアバレルを回転させることができる方法を詳細に示している。コア採取中、コア採取された岩石は、回転すべきではない。内側バレル３３も回転すべきではなく、コア採取された岩石サンプル４１は、コアのインターフェイス底面４３によって岩石地層４２にくっつけられている。しかしながら、単純なコア採取システムでは、内側コアバレルのツール面は、未知である場合があり、これ又コア採取プロセスでシフトする場合がある。
【０１００】
新規な本発明では、コア採取機械は、コア採取プロセス中、コアの内側管のツール面をコアにロックすることができる。さらに、或る特定の仕事に関し、コア採取機械は又、必要時に回転をこの内部コアバレルに与えることができる。
【０１０１】
コア採取機械の好ましい構成では、内側静止管３３のツール面は、回転ヘッド２及びその回転シャフト１５の中に延びるシャフト３４により機械本体のツール面に対して一定に維持される。このシャフト３４の上端は、コア配向基準ブロック９２の溝９１内で摺動するキー９０を備えるのが良い。軸方向運動をこのブロック９２に与えるのが良く、このブロックは、機械本体１か回転シャフト１５かのいずれかにより剛性状態に保持可能である。軸方向運動を電磁石９３によって与えることができる。
【０１０２】
シャフト１５へのブロック９２のロックは、下方運動により達成でき、その結果、歯９４がシャフト１５に取り付けられているディスク９５の凹部内に嵌まるようになっている。
【０１０３】
ブロック９２は、唯一のツール面に続き機械本体に結合される。好ましい実施形態では、コア採取ツールの内側管３３のツール面は、ブロック９２の運動によるツール本体への結合前及び結合後において、同一のツール面に常時係合する。このユニークなツール面配向は、配向基準ブロック９２と機械本体１との間の肩に関する傾斜接触インターフェイス９６を用いることによって容易に達成できる。かかる技術は、単一の配向を釣り上げ可能な「掘削しながら測定を行なう」装置（例えば、シュラムバーガー（Schlumberger）社製のSLIMPULSE）に与えるために通常用いられる。注目されるべきこととして、傾斜接触インターフェイスの角度は、適正な配向精度を得るのに十分である（恐らくは、約４５°）ことが必要である。歯を利用した他のシステムも又想定できる。
【０１０４】
配向基準ブロック９２とコア採取ツールの内側管３３との一連の取り付けにより、ツール面のずれ又はオフセットがコア採取機械のツール面基準と内側バレル３３との間に存在する。内側バレルのスロット３７は、コアのツール面基準と見なすことができる。外側印又は溝９７は、コア採取機械の外側本体に存在し、この印は、傾斜接触肩９６の下側を意味している。ずれ９８は、コア採取システムへのコア採取ツールの取り付け後に地表で測定されなければならない。
【０１０５】
図１１ａ、図１１ｂ、図１２ａ、図１２ｂ及び図１３は、コアの底部のところへのスペーサ又は保護層の取り付け方を示している。コア採取穴からのコアの取り出し後、コア４１をコアバレル３内に納める。状況によっては、コアの底面をコアの下に設けられた離隔／保護層１１０、例えばストッパ（図１１ａ）により保護するのが非常に有益な場合がある。
【０１０６】
図１１ｂは、離隔材料１１０を詳細に示している。この離隔ブロックは、その頂部のところに設けられていて、コア採取ツール中への取り付けを容易にする大きな面取り部１１８を有している。分離ブロックは、これをガイド穴１１２のボア内に心出し状態に保つための心出し機構体、例えば弓形ばね１１９を備えている。これら弓形ばねは、凹部１２０により離隔ブロックの外面と面一状態になっているのが良い。シール１２１は、コア採取ツールの内側管３３内への離隔ブロック１１の挿入後、コアを坑井流体から保護する。
【０１０７】
図１２ａ及び図１２ｂに示されているように、逸脱ガイドは、離隔材料１１０を有するよう改造されているのが良い。この材料は、ガイドに設けられた穴１１２内に貯蔵されるのが良い。コア採取ツール３の底部は、この穴の中に嵌まり込むのが良い。例えば、コア採取ツールは、キー又は歯８５を備え、このコア採取ツールは、クラウン８６の「トラップキーリング」（trap key ring）１１３内に後方に引き込まれる。「トラップキーリング」１１３は、コア採取ツールのキー又は歯８５との係合を可能にする溝（又は歯）１１４を備えている。この構成により、コアバレルの底部は、ガイドの幾つかの要素に結合してこれと共に回転することができる。
【０１０８】
キーとの嵌合後、コア採取ツール３を数回回転させてトラップ１１５をガイド穴１１２の頂部で開く。トラップ１１５は、そのヒンジ１１６を中心として回転する。「トラップキーリング」１１３の回転は、ねじ機構体１１７によりトラップ１１５の運動に変換される。
【０１０９】
次に、コアバレル３を下降させてこれをガイド５に接触させ、すると、コア採取ツールの底端部は、穴１１２内に嵌まり込むことができる。コア採取ツールを前方に押して離隔材料１１０に被さるようにする。この作業を容易にするため、コア挟持機構体３６を開き、次に離隔材料上に再び閉じるのが良い。
【０１１０】
図１３は、トラップ１１５を開いたときの結果を示している。コア採取ツール３をガイド穴１１２内に嵌め込み、このコア採取ツールは、離隔ブロック１１０を捕捉する。コア４１は、離隔ブロック１１０の長さだけコア採取ツール内に上方に動いている。
【０１１１】
図１４ａ及び図１４ｂは、加圧コアを地表まで回収又は取り出すシステムを示している。この場合、コアバレルの両端部に確実に栓をするのが良い。かかる技術では、コアは、地表までの移動中、流体を失うことになる。また、コアの周りの圧力は、高いレベルのままである。かかる方法では、コアの特性（機構及び裂け目）並びに流体含有量は、地表までの移動中、変化（並びにコアバレル内の貯留量）が最小限であろう。
【０１１２】
この目的を達成するため、離隔材料１１０に代えて強力なシール１２１を備えた栓１２５が用いられる。内圧が軸方向力を生じさせ、この軸方向力は、栓１２５をコア採取ツール３から突き出す傾向がある。この軸方向力に耐える機構体は、半径方向ドグ（dog）１２７で構成され、この半径方向ドグは、コア採取ツールの内側管３３の周方向溝１２９内に嵌まっている。これらドグは、ばね１２８により半径方向に押される。この栓は、離隔材料に代えてガイド穴１１２内に取り付けられる。
【０１１３】
弁１２６がコアバレルの頂部のところに設けられている。栓の提案された設計では、この弁は、内側静止管３３を支持した管３４を閉鎖し、この管３４は、回転ヘッド又は内側静止管３３の配向機構体を支持したシャフト内に取り付けられるのが良い。この管は、この圧力封じ込め機能が実行することができるよう強固でなければならない。
【０１１４】
かかるコアバレル内の圧力を所望の値に保つことが可能である。この機能のため、弁の下に設けられた圧力センサ１３１は、コアの周りの圧力のモニタを可能にする。コア採取機械内に設けられたポンプ１３０は、冷却効果に起因した坑井からのコアの取り出し中、圧力の低下を補償するよう作動されるのが良い。
【０１１５】
コア採取ツールは、曲げ（図１１）が生じない（又は制限される）べきである。これが守られない場合、曲げ効果により堅い地層のコアが壊される場合があり、他方、非圧密状態の地層からの岩石は、粉末状態になる（少なくとも部分的に）ことになる。これが起こる恐れを最小限に抑えるため、コア採取ツール３は、真っ直ぐな方向１３６に動く必要があり、この真っ直ぐな方向は、本質的に逸脱ガイド５の表面５５に平行であるべきである。これは、短いコア採取ツール（例えば、６フィート（約１．８ｍ）未満である）の使用により容易に達成できる。
【０１１６】
逸脱ガイドは、坑井全体を覆う必要はない。逸脱ガイドは、最低限、地層への入口付近でコア採取ツールを支持すると共に案内する必要がある。その縁部１３８は、代表的には、坑井の壁からコア採取ツールの直径１つ分だけ距離を置いたところに位置する。この距離では、コア採取ツール３の切断歯３１は、ガイド５に接触せず、相互損傷が回避される。
【０１１７】
新規なコア採取機械は、コア採取機械が逸脱ガイドに向かって進んでいるときであっても、回転ヘッドが常時、コアバレルと正しく位置合わせ状態に保たれるようにすることができる。これは、回転ヘッド２の傾動機構体１２の実質的に連続した調整によって達成される。
【０１１８】
図１６は、回転ヘッド傾動のこの調節を回避する方法を記載している。伝動シャフト１４０を回転ヘッド２とコア採取ツール３との間に挿入する。シャフトは、主として、ゾーン１４１で曲げられる。この箇所は、当初、コア採取作業の開始時においてはコア採取ツールの近くに位置し、地層中へのコア採取ツールの完全侵入時には回転ヘッドの近くに位置する。シャフトは、曲げ可撓性を保証する比較的小径断面のパイプで作られる。このシャフトは、コア採取プロセス中、２本の軸線の適正な位置合わせ又は整列を補償するスタビライザ１４２を備えるのが良い。
【０１１９】
かかる構成では、伝動シャフトは、コア採取ツールと同じほど長いものであるべきである。また、ガイドの逸脱面は、コア採取ツールと同じほど長いものであるべきである。
【０１２０】
本発明の新規な技術的思想により、コアをコア採取ツール内に剛性区分と可撓性区分の組み合わせが用いられる場合、図１７に示されているように地層中の深いところ（坑井から半径方向に距離を置いたところ）から取り出すことができる。距離１３５は、選択された方法に応じて数フィート（１フィートは、０．３０４８ｍ）まで増大可能である。
【０１２１】
この解決策の主要な要素は、２つの区分で作られたコア採取ツールである。下側区分１５０（最高１０フィートまで）は、従来型コアバレルと同様剛性であるが、上側区分１５１は、曲げの際に撓むことができる（典型的には、９０フィートまで）。曲げ可撓性は、その長さ全体にわたって可撓性であっても良く、或いは、剛性区分１５２と可撓性区分１５３を交互に配置されることにより（例えばナックル継手）得られても良い。剛性区分１５０，１５２の長さは、逸脱ガイド５の表面５５の長さ以下であるべきである。
【０１２２】
かかるツールでは、コア採取ツールは、地層に入る前においては逸脱ガイド上に常時適正に位置合わせされる。これにより、コア採取ツールは、地層中に真っ直ぐな方向に進むようになり、逸脱は、ガイドの角度に対応している。注目されるべきこととして、逸脱角度は、代表的には、４．５°である。
【０１２３】
可撓性コア採取ツールは、可撓性材料（低いヤング率を備える）で作られた２本の薄手の管（外側回転管３０及び内側静止管３３）で構成されるのが良い。好ましい材料としては、ＢｅＣｕ、Ｔｉ又は複合材（繊維と樹脂）が挙げられる。
【０１２４】
図１８ａ及び図１８ｂは、曲げ区分の形状を示している。曲げ要件部１５４は、典型的には１フィートの距離にわたるガイドの角度である。外側回転管は、曲げ区分に長円形の形を形成するよう僅かに弾性的に変形可能である。長円形の変形１５５は、コア採取ツールの内側静止管で隙間１５６をほぼ閉鎖するのが良い。
【０１２５】
内側管に関し、断面は、曲げを受けても変えられないようにすべきであり、したがって、コアは、その断面を変える必要がない。また、高い曲げ可撓性を保証するよう管に切れ目を追加するのが良い。この管に伝達されるトルクはゼロである（又は最小限である）。用途によっては、この内側管は、油圧密封を保証する必要はなく、かかる要件が存在する場合、余分の中間密封層により切れ目を密封するのが良く又はベロー型の表面を管に設けるのが良い。ベローの形１５７は、２本の管相互間の流れを容易に保証することができるよう螺旋であるのが良い。
【０１２６】
コア採取バレルのこの実施形態では、コアは、掘削プロセス中、当初真っ直ぐである。しかしながら、コア採取ツールが引っ込められて地層から出されると、主坑井の軸線に再び整列するために一時的な曲げが与えられる。この曲げは又、コア採取要素にも与えられる。コアの特性に応じて、これは、マイナスの効果、例えばコアに亀裂が生じるという効果又は機構が圧縮されるという効果をもたらす場合がある。コア採取ツールが剛性／可撓性区分で作られている場合、分析のためにコアを曲げ区分で用いないようにすることが推奨される場合がある。典型的には、コアの１フィートに曲げ効果（及び関連の摂動）が与えられている間、典型的には６フィートが真っ直ぐに保たれる。
【０１２７】
コア採取ツールが剛性下側部分及び可撓性上側部分で作られている場合、曲げは、長い距離にわたって分布され、その結果、摂動を無視できるようにすることができる。したがって、非常に敏感な岩石では、摂動は長い区分にわたってもたらされるのが良いが、下側区分（典型的には６フィート）は、完全に維持される。
【０１２８】
剛性及び可撓性の部分から成るコア採取ツールは、コア採取穴を操向して主坑井（図１９ａ及び図１９ｂ）から湾曲した坑跡をなして遠ざけるよう改造されるのが良い。かかる設計では、コア採取穴の端と主坑井との間の距離１３５を増大させることが可能である。例えば、３０フィートのコア採取ツールの場合、この距離は、５〜１０フィートに達する場合がある。
【０１２９】
この用途に関し、上述のコア採取ツールは、コア採取ツールが一平面内において曲がるという自然の傾向を持つよう改造される。これは、上述の設計例の区分１５３に永続的な曲げを設けることによって達成される。
【０１３０】
剛性区分１５２及び可撓性区分１５３を備えたコア採取ツールを参照すると、内側静止管３３は、撓みゾーン１５３に永続的に設けられた曲げ部を有し、この管は、自然な形状１６０を有している。
【０１３１】
このあらかじめ曲げられた管３３がコア採取ツール３内に嵌め込まれると、それにより外側回転管３３に曲げ部が作られ、その結果、コア採取ツール３は、内側静止管とほぼ同じ形状を有するようになる（曲げが小さい場合、外側管３０が内側管３３によって与えられる曲げに抵抗する）。
【０１３２】
すると、コア採取ツールは、図１９ａに示されているようにコア穴内に位置することになる。穴は、自然な曲線１６１を有する。というのは、ビット面１６２は、底部のところでは穴軸線１６３に垂直ではなく、コア採取ツールが第１の曲げ部１６４のところで穴壁に当たっているからである。
【０１３３】
理論的ビルドアップ角度は、角度１６６（穴の端のところでのビット軸線１６５と穴軸線１６３のなす角度）を第１の真っ直ぐな区分１５０の長さで除算して得られた値に相当する。ビルドアップ角度は、コア採取システムについて典型的な幾何学的形状の場合、非常に小さい。
【０１３４】
穴サイズが２．５インチ（６．３５ｃｍ）、コア採取ツールの外径が２．０インチ（５．０８ｃｍ）、第１の真っ直ぐな区分の長さが３フィート（０．９１４４ｍ）の場合、この場合におけるビルドアップ率は、１メートル当たり０．３６°である。コア採取の全長が３０フィート（９．１４４ｍ）の場合、この逸脱の変化分は、３．６°である。これは、距離１３５の２倍に相当しており、したがって、この距離は、主坑井から５フィート（１．５２４ｍ）に至る場合がある（３０フィートのコア採取ツールの場合）。
【０１３５】
コア採取プロセス中、内側管３３は、静止状態に保たれ、その結果、曲げ平面は、本質的に一定に保たれるようになる。外側管３０が回転し、この外側管は、歯３１を介して切断プロセスを推進する。注目されるべきこととして、区分１５０は、湾曲した穴１６１内への適正な取り付けが行なわれるためには区分１５２の長さの通常半分である。回転管３３は、曲げ箇所１５３のところでボーリング孔と摩擦を生じる。また、同一曲げ箇所のところでは内側静止管３３と外側回転管３０との間に摩擦が生じる。内側管３３の曲げ部は、良好な耐腐食性が得られるよう局所的に被覆されるのが良い。
【０１３６】
湾曲したコア採取穴１６１内のコア採取ツール３の形状は、当初、内側管３３の曲げ効果によって与えられる。さらに、座屈効果がこの傾向を補強する。
【０１３７】
また、オプションとしての「ニアビット型スタビライザ」１６６（又はブレード）は、湾曲した穴の中でのビットの適正な誘導を保証するようビットから短い距離を置いたところに取り付けられなければならないことは注目されるべきである。その寸法は、傾斜掘削の設計基準と適合性のあることが必要である。
【０１３８】
図２０は、コアの直径並びにその自然な曲げ状態を示しており、内側静止管３３は、歯３１によって作られるコア採取クラウンの内径１７１よりも大きな内径１７０を有している。これにより、コア４１の直径は、内側管３３よりも小径であるようになる。管３３の変形可能な内張り１７２により、コアは、コアバレル内でガタツキを生じないようになる。曲線部１７３をコア採取穴の達成されたビルトアップの実証として実験室内で計測可能である。
【０１３９】
図２１では、予備屈曲コア採取ツール１８０は、入れ子式構造体６に取り付けられた分散型流動システム１８１により主坑井内に真っ直ぐに維持される。
【０１４０】
この予備屈曲コア採取ツールの使用にあたっては、コアバレルに沿って上方に動いたコアが曲げ区分を通過しないようにするための特別な手順が必要である。コア採取プロセスが第１の真っ直ぐな区分１５０の長さに等しい長さだけ進むたびに、新たなコアは、第１の曲げ部に達する。すると、コア採取ツールは、コア採取穴から引き出さなければならず、これを主坑井内で戻して真っ直ぐな位置にする必要がある。この真っ直ぐな位置でのみ、新たなコアが可撓性区分（これは、現時点においては真っ直ぐに保持されている）を横切って他の真っ直ぐな区分（理想的には、既に蓄えられたコアに当てて）押し込まれるべきである。
【０１４１】
この上方押し込みは、次のようにして実施されるのが良い。
コア採取ツールを逸脱ガイド５に嵌め込む（スペーサを導入するプロセスについて説明したように（図１３）。
スペーサ１１０をコアの底部に追加して保護を保証すると共に他のコアが後でコア採取ツールの曲げ区分１５３内に入り込まないようにする。この長さの規定を保証するため、軸方向変位の適正な測定がコア採取プロセス中並びにガイドからのスペーサの装入中に必要である。
次に、コア採取ツールを穴１１２内に下方に押し込んでストッパ１８２（保持状態のスペーサ１１０を支持している）がコアをコア採取ツール内に上方に押し込むようにする。これらコアをあらかじめ取り付けられているコアスペーサ１８３によって分離する。
【０１４２】
この押し込み中におけるかかる変位により、コアは、コア採取ツールの曲げ部を通過することがない。コアは又、コア採取ツールの真っ直ぐな区分内に常時収納される。これにより、コアの損傷が回避される。
【０１４３】
ダウンホールコア分析は、ビットに加わる荷重（ＷＯＢ）及びトルク測定をコア採取プロセス中、コア採取機械によって実施されるのが良い。コア採取貫通速度（ＲＯＰ）と組み合わせると、これらパラメータにより、岩石機械的パラメータのコンピュータ処理が可能であり、岩石の特性の変化の判定が可能である。適正な切断トルク評価のため、先ず最初に、切断ツールが底部に接していないときにトルクを測定することが重要であり、これは、コア採取ツールに関与する僅かな隙間に起因して生じる回転摩擦トルクである。
【０１４４】
掘削パラメータから岩石特性を判定するこの方法は、従来型ドリルビットを用いて坑井の掘削中に達成される結果よりも正確である。というのは、切断は、同一条件でのみ起こるからである（特にコア採取中、接線方向直線速度であるが、従来型ドリルビットでは、切断パラメータは、ビット面の下の位置に依存する）。
【０１４５】
逆循環方式を利用すると、掘屑を回転管と静止管との間の僅かな環状域中に循環させることができる。この流れには、切断歯によって生じた掘屑が含まれている。これら掘屑は、最終的には、コア採取ツールの内部チャンバに達する。掘屑サイズの分析は、超音波手段、密度測定及びフィルタクリーニング方法と関連した濾過によって実施可能であるが、これらには限定されない。これら方法のうちの幾つかは、掘屑の性質のより正確な判定が得られるよう組み合わされるのが良い。コア採取穴中の侵入度と関連してこの分析を利用することにより、特にこの分析が上述したようなＷＯＢ及びトルク測定と関連している場合、岩石の機械的性質の特性把握が可能である。
【０１４６】
このコア採取プロセスにより、掘屑は、長い距離にわたって運ばれることはなく、運搬プロセス中における掘屑の損傷及び変性が回避される。
【０１４７】
ダウンホール条件におけるコアのダウンホールロッギングを行なうシステムが図２２ａ及び図２２ｂに示されている。逸脱ガイドは、オープンホール（裸坑）ロッギングと同様、センサを備えるのが良く、その結果、直接的なロッギング情報を坑井から坑井の「トリップアウト」中に温度及び圧力の変化に起因した摂動並びにトリップアウト及び貯蔵中における気孔流体の損失の恐れにコアがさらされる前にコアに関して判定できるようになる。
【０１４８】
この目的のため、逸脱ガイドは、検出器及び関連の制御エレクトロニクスを支持すると共に／或いは収納したチャンバ２００を備えるのが良い。このチャンバは、ガイド内に一体化されても良く、或いは、このチャンバは、コア採取穴から出て主坑井内に入る際にコア採取ツールに平行な小型ロッギングツールであっても良い。コアを主坑井内に引き戻すと、コアは、検出器の前を通り、それによりコア軸方向位置に対するコアの分析が可能である。コアを画像化又は断層撮影目的でロッギングプロセス中、回転させるのが良い。
【０１４９】
検出器として、コアの自然放射能を測定するためにガンマ線検出器２０１を用いるのが良い。この検出器は、光電子増倍管と関連したシンチレーションクリスタルを利用するのが良い。周りの岩石（これは、遮蔽体２０２が、同じ岩石であるので非常に似た特性を有する場合がある）による測定の摂動を制限するために検出器の後側（及び実際にはの周り）に取り付けられるのが良い。遮蔽体は、鉛又は任意の重金属で作られるのが良い。また、コアがコア採取ツール内に存在していない状態でこの深さでバックグラウンドノイズを測定することが推奨され、このノイズを次に、コアがコア採取ツール内に存在しているときに読みから差し引くのが良い。
【０１５０】
ガンマ線測定法により、コアが適正な地層から採取されたかどうかの確認が可能である。これは、複雑な地質学的構造若しくはフラクチャー地質学的構造又は断層の付近では重要である場合がある。この種の制御は又、コア採取穴が上方又は下方に向けられている間、水平主坑井からのコア採取の際に極めて重要であり、コアが適正な地層から採取されるようにする上で極めて重要である。
【０１５１】
この測定は、プロセスの直接的な品質管理（精度管理）であり、不適切なコア取り出しの場合、特に多数の短いコアが採取された場合、別のコアを採取することが即座に決定可能である。
【０１５２】
また、ロッギングシステムは、典型的なワイヤラインロッギングツールで実施されるようにガンマ線放射性源（典型的にはＣｓ１３２）を用いてガンマ‐ガンマ密度を可能にするよう構成されるのが良い。密度は、後方散乱法によって測定でき、ガンマ線放射性源を検出器と同一の側に取り付けるのが良い（全てのものは、ロッギングツール内に位置する）。しかしながら、ガンマ線源２０３をロッギングツール内のガンマ線検出器２０４の反対側に（例えばガイド内に）配置することが可能である。
注目されるべきこととして、自然ガンマ線測定は、ガンマ線放射性源の存在によって摂動を受ける場合があることは注目されるべきである。摂動を制限するために十分な距離を取ると共に遮蔽体２０５を配置すべきである。
【０１５３】
密度測定では、かかる測定は、コアが回転している状態で（コア採取機械の回転による）実施されるのが良い。これにより、コア区分中の異方性及び非一様な密度を測定することができる。この分析は、実際には、次のような好ましい設計により走査プロセス（断層撮影法）になるのが良い。
コアの互いに反対側に設けられた源と検出器。
源２０４から検出器２０３まで延びるライン２０６は、コア４１の中心２０７を通らない。
【０１５４】
第２の照明コードを用いることにより断層撮影解像度を向上させることができ、これは、以下のシステムのうちの１つによって達成できる。
コア採取ツールを側方に変位させることができる機械的特徴部の使用。次に、２つの照明経路に対応してコア断層撮影を２回実施するのが良い。
コアを横切る２つの照明コードに続き、測定を実施するためのロッギングツール内における第２の密度検出器の使用。
密度測定及び断層撮影測定は、初期ダウンホール条件下、例えば圧力、温度及び間隙流体条件下におけるコア特性較正のための重要な情報である。
【０１５５】
本発明により説明される別のダウンホール測定は、コア直径である（図２３ａ及び図２３ｂ）。通常、コア直径は、コア採取ツールの切れ刃の内径に等しいと推定される。しかしながら、機械的損傷に起因して、このようになっていない場合がある。さらに、コアの幾何学的形状は、時間（不適当な流体による湿潤を受けた後）、圧力及び温度の変化につれて変化する場合がある。コア直径を互いに異なる条件（例えば、コア採取直後、地表のところ及び実験室内）で分析することは、コアの「エージング」にとって良好な品質管理パラメータである。
【０１５６】
この測定は、種々の技術により実施できる。一設計例では、内側静止管３３は、軸方向溝２１０を備えるのが良い。この管は、切断歯３１の内径１７１よりも僅かに小さいのが良く、その結果、コアは、内側管３３を開かなければならないようになる。円錐形区分２１１は、コアが管３３内に上方に押し込まれるときにこの開放効果を助ける。内側管３３がコアによって開かれると、その溝２１０も又、幅が広がると共にその全体的直径が大きくなる。管３３の直径の変化は、外部測定によって判定できる。好ましい方法のうちの１つとして、２本の管３０，３３相互間の隙間を超音波変換器２１２（パルスエコー法）又は共鳴の減衰）によって計測でき、この測定値は、２つの音響経路２１３，２１４に関する飛行時間から成る。これら２つの測定値相互間の差に流体の音響速度を乗算すると、隙間の計測が可能である。
【０１５７】
別の測定法は、区分２１５における機械的効果に基づいている。この区分では、管３３は、僅かに長円形である。この管は、内部切断管３３に取り付けられた２つの突起２１６と接触状態にある。管３３がコアにより変形すると、突起２１６は、外側管３０を変形させる。管３３の長円度の直接的な判定により、管３３の直径を求めることができる。管３３のこの長円度判定は、コア採取ツールの直径方向反対側でガイドに取り付けられた１対の距離（又は変位）センサ２１７，２１８を介して達成できる。数種類の検出器、即ち、表面と接触関係をなして摺動するＬＶＤＴ又はちょうど説明したばかりの超音波センサ又は渦流センサを用いることができる。この用途に関し、外側管３３は、或る特定の軸方向位置のところに長円形区分を有する。直径ロッギング中、区分２１５が検出器２１７，２１８の前に位置すると、コア採取ツール３をゆっくりと回転させる。
【０１５８】
コアの熱特性も又ロッギングすることができる。この測定に関し、外部加熱又は冷却作用によってコア温度を変化させる。坑井に対する断熱がなされていると仮定して、摂動の作用に対する温度の変化状況を計測し、加熱ステップ機能に対する温度応答により、コアの比熱及び熱伝導率を求めることができる。このコアの比熱及び熱伝導率は、岩石学的特性、気孔率及び流体の性質と関連している。
【０１５９】
かかるロッギングについて考えられる設計例は、コア採取ツール内に圧送された流体のヒータを設置することであり、それにより、高温の流体がコア採取ツールの２本の管３０，３３相互間の環状域中を循環することができる。コア応答は、コア採取ツールの外面と接触状態にある温度プローブ又は熱流プローブを介してロッギングシステムによって測定される。
【０１６０】
加熱効果は、制御された電流発生下においてコア内の電流誘導方法により達成できる。コア採取ツール３及びコア４１内における電流誘導は、ＡＣ電流がガイドに取り付けられている固定巻き線中に回されると、磁気誘導によって直接実施できる。電流誘導のためのもう１つの方法は、渦電流（又はフーコー電流）を発生させることである。これは、ガイドの近くに大型固定磁石を取り付けることにより達成でき、コア採取ツール（及びコア）を磁石の前で回転させると、渦電流がコア採取ツールの金属及びコア中に現われる。
【０１６１】
誘導法による加熱は、コア採取ツール本体中に誘導される電流を少なくし、コアそれ自体中に誘導される電流を大きくするよう改造されるのが良い。これを達成するため、コア採取バレルの２本の管は、非磁性材料、理想的には抵抗材料で作られる必要があり、ニッケル金属又はステンレス鋼金属が許容可能な解決策であるといえる。この場合、熱プローブによりロッギングされる熱応答は、コアの抵抗率に依存している。次に、加熱の量をコア体積中の誘導電流の大きさによって検出する。
【０１６２】
コアの抵抗率をロッギングすることができるが、これにはコア採取ツールの改造が必要である。例えば、コアの誘導抵抗率のロッギングは、コアバレルを２つのコイル中に通すことによって実施でき、コア採取ツールは、非磁性且つ高い抵抗率のものであることが必要である。コア採取ツールは、複合材料（例えば、ガラス繊維及びエポキシ樹脂）で構成されなければならない場合がある。
【０１６３】
岩石の機械的科学では、クーロン破損基準（図２５）は、岩石の破砕基準を定め、岩石の破砕に到達する所要の剪断レベルは、剪断に垂直な平面内における圧縮応力につれて増大する。
【０１６４】
本発明のコア採取機械により、この判定が可能である。コア採取ツールは、コア採取プロセス中、地層内に嵌まり込む。次に、コア採取ツールの回転を停止させ、コアを挟持し（図４参照）、次に内側管を外側管にロックする（図１０参照）。回転ヘッド２は、トルクが測定されている間、トルクをコア採取ツール３に加える。トルクを図１０のコア面４３が破断するまでゆっくりと増大させる。破断後、トルクは、すぐに減少する。トルク増大段階中におけるピークトルクは、岩石に関する破断トルクに相当している。改良型破断トルク測定のため、岩石破壊後における低回転速度での残留トルクを測定し、このトルクをピークトルクから差し引くことができるようになる（摩擦トルクに過ぎないので）。
【０１６５】
近似関係により、剪断面４３のところでの平均剪断トルクの推定を行なうことができる。剪断弾性率の知識により、この推定が改善される。コア剪断試験中、剪断面に加わる圧縮荷重をＷＯＢとしてコア採取機械により提供することができる。圧縮力を用いて圧縮応力を直接計算することができ、これにより、クーロン（COULOMB）図の一点を求めることができる。
【０１６６】
コア剪断の第１の試験後、通常のコア採取プロセスを短い侵入のために再び開始するのが良い。次に、新たなコア剪断試験を別の軸方向荷重（ＷＯＢ）について実施するのが良く、それによりクーロン図のもう１つの点が求められる。
【０１６７】
判定にはこの図の通常２つの点で十分である。これよりも多くの点は、より高い精度を得ると共にこの特定の岩石の応答の潜在的非直線性を直接求めるために取られる場合がある。
【０１６８】
また、岩石の最大引っ張り値を求めるのに特別な試験を実施することができる。この場合も又、コア採取ツールが岩石に十分に侵入すると、挟持システムを作動させ、引っ張り力（負のＷＯＢ）を加えて測定し、この引っ張り力を破砕に達する（測定値が、低い値まですぐに下がる）まで連続測定実施中、ゆっくりと増大させる。最大引っ張り力を用いて破断に対応した引っ張り応力を算出する。
【０１６９】
これら試験により、図２５に示されているグラフ図（クーロン破損基準）の完全な判定が可能である。
【０１７０】
新規なコア採取機械は、現場応力も又測定することができる。思い起こされるべきこととして、全応力場は、２つの主応力（互いに９０°の角度をなして向けられている）に分解可能である。これら応力は、６つの既値（３つの大きさ及び３つの方向）を表している。図２６は、これを詳細に示している。
【０１７１】
これら測定を実施するため、コア採取ツール３の切断歯３１を２つの列をなす切れ刃を有するよう図２６ａ及び図２６ｂに示されているように改造される。第１の切れ刃１６０は、内径１６２を切断する。第２の切れ刃１６１は、第１の直径１６２よりも小さな内径１６３を切断する。短い長さにわたり、コアは、コア採取ツールに入るコアよりも僅かに大きな直径を有する。
【０１７２】
かかる端部コア形状では、剪断又は引っ張りのためのコア試験中の破断面が区分１６５のところに位置している。というのは、応力は、大径コアの区分の応力よりも高いからである。
【０１７３】
区分１６５のコア破断後（上述したプロセスによる）、コア採取ツールは、コアの大径部１６２を掴んでおり、この大径部は、依然として、地層にくっつけられている。この場合、表面１６４を剪断するために新たな剪断試験が実施されている。この試験により、破断のための１組の測定値（ＷＯＢ、トルク）が与えられ、それによりデータ点（剪断応力、圧縮）をコンピュータ処理することができる。
【０１７４】
この破断は、この剪断／圧縮試験について起こるが、この地層中に自然に存在する局所応力による区分１６５中の圧縮応力と組み合わされる。これら表面応力は、最も一般的には圧縮応力であり、このインターフェイスのところでの主応力の組み合わせによって生じる。
【０１７５】
モールの円の理論を用いると、破断は、最も大きな円が既に測定されているクーロンの線（小さな破断から求められる）に達すると生じる。
【０１７６】
この試験を異なるＷＯＢについて類似の又は同一のコア採取穴で２回実施することにより、区分１６４におけるこの応力の大きさ１６６及び「ツール面」１６７を求めることが可能である（この場合におけるツール面は、区分におけるこの応力の配向角度である）。
【０１７７】
岩石中の主応力（３つの大きさ及び３つの方向）の問題を完全に解決するためには６つの独立の測定が必要であり、即ち、２つは、２つのＷＯＢで上述したように実施されるのが良い（同一又は類似のコア穴）。かかる試験は、互いに異なる独立した方向に差し向けられた３つのコア採取穴内で実施される必要がある。この目的のため、ガイドがコア採取穴の傾斜角が主坑井から９０°であるはずがない間に３つの互いに異なるツール面で主坑井内に配置される必要がある。このことは、岩石応力測定（大きさ及び角度）に関する剪断された面が３つの面を持つ角錐の面に対応する表面で測定されることを意味している。角錐の各自由面に加わる応力が分かると、堅い地層中の均等な応力を求めることができる。角度に関して適正な精度を得るため、コア採取穴の逸脱角は、十分に適当である必要がある（３０°）。この目的の実用的な用途に関し、このことは、コア採取ツール３が比較的小型であるべきであり、その結果、ガイド逸脱角度が大きいのが良いことを意味している。
【０１７８】
最後に、遠くの摂動を受けない地層ボリュームへの近くのコア採取穴に関する応力集中要因を求めることができる。これには、コア採取穴の幾何学的欠陥及び弾性（ヤング率及びポアソン比）の推定が必要な場合がある。
【０１７９】
この問題の完全な解決のため、弾性及びポロエラスチック（poro-elastic）係数を適正な実験室内測定のためのコアを用いて実験室内で求めることができる。
【０１８０】
ヤング率は、薄いコアの座屈試験によって得られる。この目的のため、コアは、長さ：直径の比が大きいことが必要である。この場合、コアは、切断区分の上方の内径が大きいことに起因するか変形性の極めて高い管３３の使用によるかのいずれかにより静的内側管３３内では良好には支持されない。この場合、コア採取機械は、軸方向荷重をコアの上側末端部に加えることができるよう改造される必要がある。これは、以下の解決策のうちの１つによって達成できる。
ａ）コアがコア採取ツールの頂部に到達するよう短いコア採取ツール。
ｂ）荷重をコア採取ツールの下方末端部について或る特定の距離を置いたところでコアに伝えるための挟持機構体を追加すること。
ｃ）油圧をピストンの上面に加えることによりコア採取ツール内においてシール付きピストンを押し下げることができるということ。
【０１８１】
座屈（オイラーの公式）に達するまで小さな値からゆっくりと増大する軸方向荷重をコアに加える（そして測定する）。破断時、軸方向荷重を突然減少させる（これは、検出法である）。幾何学的形状及び力が分かると、ヤング率を計算することができる。
【０１８２】
ポアソン比の場合、コアの荷重試験を実施するのが良い。基本的な試験は、次のようにして岩石の引っ張り強度を求める。即ち、筒状の岩石を２枚のプレート相互間で半径方向に圧縮する。この荷重条件において、加重プレートとの接触線の通る軸方向平面内において、この平面に垂直な引っ張り応力のみが存在することが容易に観察される。公式により、この引っ張り応力は半径方向荷重及び幾何学的形状（弾性ではない）に直接関連付けられる。
【０１８３】
本発明では、加重機構体は、次のように改造される。即ち、互いに平行なプレートが接線方向接触線上の岩石サンプルと接触状態に配置される。この場合、これらプレートは、静止状態に維持される。次に、力が岩石サンプルにその主要軸線を辿って加えられる。これにより、岩石サンプルは、ポアソン効果により容易に成長する。しかしながら、一半径方向においては、変形は、２枚のプレートによって制止される。すると、圧縮接触状態が岩石とこれらプレートとの接触部のところに生じる。いまや、岩石サンプルは、引っ張り荷重が軸方向平面上に生じるよう加重される。すると、軸方向荷重は、引っ張り破断に達するまで増大する。破断は、破断引っ張り荷重で生じる（これは、先に測定したクーロン破損図から知られている）。次に、半径方向接触力を計算することができる。この力が現われるのは、軸方向加重により生じる含有ポアソン変形に起因する。
【０１８４】
この公式は、岩石サンプルの軸方向加重、半径方向加重、ポアソン比、ヤング率、直径及び長さを互いに関連付ける。この場合、唯一の未知の値は、軸方向荷重を測定しているときのポアソン比である。
【０１８５】
この試験を実施するため、コアを再び軸方向に圧縮する（座屈試験の場合と同様）。しかしながら、コアは、２つの接線方向平面に半径方向に制限される。コアは又、座屈を回避するのに十分短くなければならない。実際には、同一の管３３が両方の試験に用いられる。両方の試験相互間の唯一の差は、コアの長さである。座屈試験の場合、この長さは、長くなければならず（恐らくはＬ／Ｄ＞１５）、改造型試験については、Ｌ／Ｄは、１である。
【０１８６】
コアロッギングプロセスは、主として、コアが地層から引っ込められているときに生じるようになっており、即ち、コアは、ロッギングシステムの前で逸脱ガイド上でこれに沿って滑る。このロッギングは、ダウンホール条件（圧力及び温度）で且つ最短侵入時間後に行なわれる。
【０１８７】
逸脱ガイド（及びロッギングツールの支持体）の適正な設計がなされている場合、逸脱ガイドを異なる深さで（例えば、地表のすぐ下）坑井内にロックすることができる。ガイドの対応の設計では、コア採取ツールをガイドを横切って通過させてコア採取ツールが側方に押されず、そして主坑井内に留まるようにすることが可能である。コア採取ツールは、下方に動き、次に上方に動くことができ（コア採取プロセス中と同様な方法で）、コアは、ロッギングシステムの前で滑るようになる。この状況では、ロッギング測定の全てを再び実施することができるが、異なる環境条件で実施される。
【０１８８】
図１４を参照すると、本発明のコア採取機械は、圧力をこの頂面に加えることができる。これは、ポンプ１３０を作動させながら弁１２６を閉じることによって達成できる。図１３に示されているような分離栓を当初コア採取ツール内に設けることができ、次にコアの頂部に位置させることができる。
【０１８９】
突き出しは、コア採取内部穴の内部で実施でき、即ち、コアは、その穴（又は任意の出口コア採取穴）内に再び収納される。コア突き出しのこのプロセスは、コアのダウンホールロッギングと組み合わされると極めて有用である。コアロッギング後、コアが望ましくない場合、コアを突き出してコア不合格の場合にのみ地表までのトリップを回避するのが良い。
【０１９０】
多数個の小さなコアがコア採取ツール内に蓄えられると、望ましくないコアのみを突き出すことが重要である。このことは、コア変位を制御することが必要であることを意味している。これは、種々の方法により達成でき、これら方法のうちの幾つかについて以下に説明する。
ａ）適正な変位が達成されるまで圧送流体の体積を測定する。
ｂ）コア採取ツールをコア採取穴内の底部上に戻し、コアを押してコア採取穴の底部に押し付ける。ポンプ圧力を維持し、コア採取機械の深さの変化をモニタしながらコア採取ツールをコア採取穴から出す。
ｃ）ロッギング情報を用いてコアの頂部がロッギングシステムの前を通過した時点を突き止める。これには、コア採取ツールを動かして底部のコアの突き出し後におけるコアの頂部がちょうどロッギング区分の前に位置しているようにすることが必要である。
【０１９１】
図１４ｂに示されている専用の栓は、これがコア採取ツール内において後方運動を阻止するのでこの目的のために使用できる。
【０１９２】
専用歯を備えたコア採取ツールは、ケーシングを横に切断し、セメントを横に切断し、次に岩石を横に切断することができる。これにより、ケーシングの後ろへのコアの取り出しが可能である。明らかなこととして、このプロセスは、上述の全ての特定の使用、用途及びシステムと組み合わせ可能である。
【０１９３】
ケーシングの後ろでのコア採取に関し、ケーシングに窓を切断形成することが必要である。この窓は、地層と坑井との連通を保証する。これは、コア採取後では望ましくない場合がある。本発明のコア採取機械は、この穴及び窓に栓をすることができる。このプロセスを実施するため、専用の栓（図１３を参照されたい）をガイドから取り出してコア採取穴の頂部内に突き出すことができる。これら専用の栓は、以下によって或る程度の隔離を保証することができる。
ａ）栓の外部に膨潤性材料を使用すること。この材料は、コア採取穴内への栓の取り付け後に膨潤する。
ｂ）栓の周囲にゴム要素を用いること。この要素は、次に、小径コア採取穴内で締まり、かくしてシールが作られる。
ｃ）プラグは、適正な条件（例えば、時間依存性）下で硬化する材料を含む。これにより、コア採取穴内でのプラグの取り付けが可能になり、すると、栓は、この材料を地層に接触させてシールを形成するよう「開かれる」。
ｄ）密封のためにコア採取穴内で栓を「膨張させる」のが良い。例えば、これは、栓の中の要素を回転させて（その突き出し後）膨張を保証することによって達成できる。
ｅ）コア穴に硬化可能な専用の流体を充填するのが良い。この目的のため、潜在的に考えられる方法は、コア採取ツールをコア採取穴の底部まで下降させることである。次に、コア採取ツールをコア穴からゆっくりと引き出しながらコア採取ツールの２本の管相互間で専用流体を循環させるのが良い。これにより、コア採取穴へのこの専用流体の制御された充填が保証される。幾つかの場合、一種のセメントスラリーをコア採取穴内に圧送しても良い。この専用流体をコア採取機械内の専用容器に入れて坑井内に下降させるのが良い。コア採取装置をチュービングによって坑井に沿って下降させる場合、専用流体をこのチュービングを介してコア採取装置に送り出すのが良い。
【０１９４】
本発明のコア採取機械により、コアのダウンホールロッギングを取り出し後に実施することができる。また、このコア採取機械により、コアをコア穴内に突き出して戻すことができる。通常、コア採取の主要な目的は、品質管理である。しかしながら、コア採取、コアロッギング、コア突き出しの組み合わせを用いると、掘削プロセスと関連した損傷を生じさせないで岩石の専用ロッギング情報を得ることができる。また、かかる組み合わせは、改善されたデータ、例えば密度断層撮影又は深さ測定値を得るための方法でもある。
【０１９５】
ロッギングツールは、種々の形式のデータを収集する。一動作モードでは、このデータは、メモリ（恐らくは、ロッギングシステム内に設けられる）内にロッギングするのが良い。次に、これらデータを地表のオペレータコンピュータに伝送する。
【０１９６】
別の設計例では、電気的リンクがコア採取機械とロッギングシステムとの間に設けられる。電気的リンクは、図６に示されているような油圧リンクに類似している。この電気的リンクにより、ロッギングシステムとコア採取機械との間に通信を確立することができる。すると、データは、コア採取機械用の通信システムによりデータを地表に対して授受することもできる。また、このリンクにより、電力をコア採取機械からロッギングシステムに送ることができる。
【０１９７】
コア採取機械を数個の短い間隔にわたって作動させる場合、所要の場所（ツール面）に高品質のコア採取流体を放出することが可能である。コア採取機械が主坑井とコア採取穴との間の閉鎖圧送ループ内で稼働しているとき、元々坑井内に存在する流体とコア採取流体の最小限の流体混合が生じる。これにより、コアが最小限の損傷で取り出されるようになる。
【０１９８】
インテリジェントコア採取機械をチュービング、ドリルストリング又はコイルチュービングにより下降させるのが良い。
【０１９９】
コア採取機械は、チュービングストリングの底部に設置されるのが良い。この用途に関し、コア採取機械の幾つかの機能は次のように不要にすることができる。
ａ）クローリング機能（図３に記載されている）を不要にすることができる。これにより、コア採取機械の坑井をより簡単にすることができる坑井内における変位は、チュービングを地表から動かすことにより（チュービングは、リグのフックに取り付けられるのが良い）従来の坑井作業の場合と同様に得られる。コア採取のためのＷＯＢは、ストリングの重量のうちの何割かをコア採取機械に加えることによって得られる。コア採取プロセスからのリアクショントルクは、ばねによっても受け止められる（モータを用いた掘削時のように）。しかしながら、軸方向押し込みシステム（図２の参照符号２２）は、コア採取のためのＷＯＢ及びＲＯＰの滑らかな制御を保証するよう動作状態に保たれるのが良い。  ｂ）配向サブ（図８に示されている）は、チュービングストリングを地表から回転させることができる場合（例えば、リグ回転テーブルにより）不要である。コイル状チュービングを用いた作動時には、この配向サブは、必須である。
ｃ）循環のためのダウンホールポンプも又不要になる。というのは、コア採取プロセスのための循環を地表ポンプ（例えば、掘削リグのトリプレックス（triplex））によって行なうことができるからである。また、地表からのこの循環により、コアの損傷を最小限に抑えるための専用流体をコア採取のために循環させることができる。
ｄ）回転ヘッド（図２の参照符号２）の回転をモータ（図２の参照符号１０）に代えて油圧モータで生じさせることができる。操向性モータに用いられているＰＤＭは、好ましい解決策である。
ｅ）コア採取機械は、ＭＷＤ型遠隔測定法により地表と通信することができる。この通信モードは、両方向であるのが良い。かかる方法により、図１のワイヤラインケーブル７が不要になる。
【０２００】
かかる改造例では、チュービングから作動されるコア採取機械は、大きな出力の電気的機能を含まない。
【０２０１】
クローラのダウンホール伸長機構体は、コア採取中、滑らかな制御された変位を保証するよう作動可能である。
【０２０２】
チュービング制御型「フルボア」コア採取機械を図２４に示されているようなスリックラインによりコア釣り上げのために使用できる。
コア採取ツール３は、代表的には、２．５インチに制限され、この場合、所要の掘削動力も又制限される（１０キロワット）。チュービング作動型コア採取機械（上述した）では、油圧モータ２２０の直径は、４．７５インチ（１２．０７ｃｍ）（又はこれ以上）であるのが良い。この油圧モータは、４／５又は７／８ローブ形態を利用しているのが良い。モータの長さも又制限される（数メートル）。
【０２０３】
かかる形態では、
大径バイパス穴２２２をロータ２２１に穴あけするのが良く、この穴の直径は、１．５インチ（３．８ｃｍ）以上であるのが良い。専用のキャビティを浅く保つことによりロータオービットを小さく保つのが良い。
専用弾性管をモータロータと回転ヘッドシャフト１５との間の中空伝動シャフト２２３として用いる。この管も又、大径（１．５インチ以上）のボアを有するのが良い。
フルボア弁により、モータロータのバイパスを開閉することができる。
コア採取ツール３の内側静止管３３を支持した管３４（図４）の延長部として、伝送シャフト及びモータロータを横切る管を設けるのが良い。
【０２０４】
かかる伝動では、フルボア２２６は、モータの頂部から回転ヘッドまで存在する。
【０２０５】
コア採取ツールは、剛性区分１５２及び可撓性区分１５３を備えた図１７に示されているシステムを利用するのが良い。しかしながら、コア採取ツールは、内側管の内径がシャフト３４の内径に等しくなるよう改造される。
【０２０６】
かかるコア採取ツール３を備えたかかるコア採取機械１では、コアは、回転ヘッド及びモータを通過することができる。コア採取機械全体の適正な環状構造の場合、コアは、コア採取機械の頂部に達することができる。コアは、釣り上げ可能な静止管２３４内に押し込み可能である。管にコアを詰め込むと、この管をチュービング２２７を通るスリックライン２２５によって釣り上げることができる。
【０２０７】
時間の節約のため、一時的コア貯蔵管も又、コア採取機械に設けられる。この管を充填すると、弁システムにより、流体を逸らしてコアが釣り上げ可能な静止管内で上方で押されるようになり、すると、一時的コア貯蔵管は、空になる。次に、スリックラインは、コアを地表まで運ぶことができ、次に新たな空の釣り上げ可能な管を下降させる。この内外へのトリップ中、コア採取を再び開始することができる。
【図１】
0005379858.tif 000002
【図２】
0005379858.tif 000003
【図３】
0005379858.tif 000004
【図４】
0005379858.tif 000005
【図５】
0005379858.tif 000006
【図６】
0005379858.tif 000007
【図７】
0005379858.tif 000008
【図８】
0005379858.tif 000009
【図９】
0005379858.tif 000010
【図１０ａ】
0005379858.tif 000011
【図１０ｂ】
0005379858.tif 000012
【図１１ａ】
0005379858.tif 000013
【図１１ｂ】
0005379858.tif 000014
【図１２ａ】
0005379858.tif 000015
【図１２ｂ】
0005379858.tif 000016
【図１３】
0005379858.tif 000017
【図１４ａ】
0005379858.tif 000018
【図１４ｂ】
0005379858.tif 000019
【図１５】
0005379858.tif 000020
【図１６】
0005379858.tif 000021
【図１７】
0005379858.tif 000022
【図１８ａ】
0005379858.tif 000023
【図１８ｂ】
0005379858.tif 000024
【図１９ａ】
0005379858.tif 000025
【図１９ｂ】
0005379858.tif 000026
【図２０】
0005379858.tif 000027
【図２１】
0005379858.tif 000028
【図２２】
0005379858.tif 000029
【図２３】
0005379858.tif 000030
【図２４】
0005379858.tif 000031
【図２５】
0005379858.tif 000032